(57)【特許請求の範囲】
【請求項１】
デジタル写真を分析するデジタル写真分析装置において、
前記デジタル写真は、該デジタル写真が撮影されたときの絞り値と、シャッター速度と、ＩＳＯ感度を記憶する付属情報を保持し、
前記デジタル写真分析装置は、
ユーザによる命令が入力される入力部と、
前記デジタル写真及び前記付属情報を記憶する記憶部と、
前記シャッター速度又はＴＶ値のいずれか一方をスケールとするＸ軸と、該Ｘ軸に直交し前記絞り値又はＡＶ値のいずれか一方をスケールとするＹ軸とで構成される二次元マトリックスと、前記デジタル写真を表示する表示部と、
前記ＡＶ値、前記ＴＶ値、及び前記ＩＳＯ感度に基づいて撮影記録ＥＶ値を算出する制御部と、を備え、
前記二次元マトリックスは、前記Ｘ軸及び前記Ｙ軸で構成される対角線方向に前記撮影記録ＥＶ値をスケールとするＵ軸をさらに備え、  
制御部は、前記入力部を介して、前記デジタル写真が選択されたことに応じて、前記ＡＶ値、前記ＴＶ値、前記ＩＳＯ感度を変数とする所定の式に基づいて該デジタル写真の前記撮影記録ＥＶ値を算出し、
0005704476.tif 000008
前記シャッター速度又は該ＴＶ値のいずれか一方と、前記絞り値又は該ＡＶ値のいずれか一方とに基づいて、前記二次元マトリックス上にプロット又は該デジタル写真のサムネイルを表示させることを特徴とするデジタル写真分析装置。
【請求項２】
前記制御部は、
前記入力部を介して、前記二次元マトリックスに表示された前記プロット又は前記サムネイルが選択されたことに応じて、該プロット又は該サムネイルに対応する前記デジタル写真についての前記撮影記録ＥＶ値を前記表示部に表示させることを特徴とする請求項１に記載のデジタル写真分析装置。
【請求項３】
前記制御部は、
前記入力部を介して、前記二次元マトリックスに表示された前記プロット又は前記サムネイルが選択されたことに応じて、該プロット又は該サムネイルの該二次元マトリックスにおける前記Ｕ軸上の前記撮影記録ＥＶ値と、該プロット又は該サムネイルに対応する前記デジタル写真について算出された該撮影記録ＥＶ値とを比較し、
該Ｕ軸上の該撮影記録ＥＶ値と、算出された該撮影記録ＥＶ値とが異なる場合、前記表示部に、該Ｕ軸上のスケールを算出された該撮影記録ＥＶ値に変更して表示させることを特徴とする請求項１又は２に記載のデジタル写真分析装置。
【請求項４】
前記制御部は、
前記二次元マトリックスに替えて、前記Ｘ軸及び前記Ｙ軸に直交し、前記ＩＳＯ感度をスケールとするＺ軸をさらに備えた三次元マトリックスを前記表示部に表示させ、
前記入力部を介して、前記デジタル写真が選択されたことに応じて、前記シャッター速度又は前記ＴＶ値のいずれか一方と、前記絞り値又は前記ＡＶ値のいずれか一方と、該ＩＳＯ感度に基づいて、該三次元マトリックス上に前記プロット又は前記サムネイルを表示させることを特徴する請求項１又は２に記載のデジタル写真分析装置。
【請求項５】
前記制御部は、
前記入力部を介して、前記撮影記録ＥＶ値が入力されたことに応じて、前記三次元マトリックス内に該撮影記録ＥＶ値が同一となる撮影記録ＥＶ値平面を前記表示部に表示させることを特徴とする請求項４に記載のデジタル写真分析装置。
【請求項６】
デジタル写真と、該デジタル写真に保持され、かつ該デジタル写真が撮影されたときの絞り値と、シャッター速度と、ＩＳＯ感度を記憶する記憶部と、ユーザによる命令が入力される入力部と、該デジタル写真を表示する表示部と、該記憶部、該表示部、及び該入力部を制御する制御部と、を備えるコンピュータを用いて、前記デジタル写真の撮影記録ＥＶ値を算出するデジタル写真分析プログラムにおいて、
前記制御部は、
前記入力部を介して、前記デジタル写真が選択されたことに応じて、該デジタル写真のＡＶ値、ＴＶ値、前記ＩＳＯ感度を変数とする所定の式に基づいて前記撮影記録ＥＶ値を算出するステップと、
0005704476.tif 000009
前記表示部に、該シャッター速度又は該ＴＶ値のいずれか一方をスケールとするＸ軸と、該絞り値又は該ＡＶ値のいずれか一方をスケールとするＹ軸で構成され、互いに直交する該Ｘ軸及び該Ｙ軸で構成される対角線方向に該撮影記録ＥＶ値をスケールとするＵ軸をさらに備える二次元マトリックスを表示させるステップと、  
該デジタル写真の該シャッター速度又は該ＴＶ値のいずれか一方と、該絞り値又は該ＡＶ値のいずれか一方とに基づいて、該二次元マトリックス上にプロット又は該デジタル写真のサムネイルを表示させるステップと、をコンピュータに実行させることを特徴とするデジタル写真分析プログラム。
【請求項７】
前記制御部は、
前記入力部を介して、前記二次元マトリックスに表示された前記プロット又は前記サムネイルが選択されたことに応じて、該プロット又は該サムネイルに対応する前記デジタル写真についての前記撮影記録ＥＶ値を前記表示部に表示させるステップをコンピュータに実行させることを特徴とする請求項６に記載のデジタル写真分析プログラム。
【請求項８】
前記制御部は、
前記入力部を介して、前記二次元マトリックスに表示された前記プロット又は前記サムネイルが選択されたことに応じて、該プロット又は該サムネイルの該二次元マトリックスにおける前記Ｕ軸上の前記撮影記録ＥＶ値と、該プロット又は該サムネイルに対応する前記デジタル写真について算出された該撮影記録ＥＶ値とを比較するステップと、
該Ｕ軸上の該撮影記録ＥＶ値と、算出された該撮影記録ＥＶ値とが異なる場合、前記表示部に、該Ｕ軸上のスケールを算出された該撮影記録ＥＶ値に変更して表示させるステップと、をコンピュータに実行させることを特徴とする請求項６又は７に記載のデジタル写真分析プログラム。
【請求項９】
前記制御部は、
前記二次元マトリックスに替えて、前記Ｘ軸及び前記Ｙ軸に直交し、前記ＩＳＯ感度をスケールとするＺ軸をさらに備えた三次元マトリックスを前記表示部に表示させるステップと、
前記入力部を介して、前記デジタル写真が選択されたことに応じて、前記シャッター速度又は前記ＴＶ値のいずれか一方と、前記絞り値又はＡＶ値のいずれか一方と、該ＩＳＯ感度に基づいて、該三次元マトリックス上に前記プロット又は前記サムネイルを表示させるステップと、をコンピュータに実行させることを特徴する請求項６又は７のいずれか一項に記載のデジタル写真分析プログラム。
【請求項１０】
前記制御部は、
前記入力部を介して、前記撮影記録ＥＶ値が入力されたことに応じて、前記三次元マトリックス内に該撮影記録ＥＶ値が同一となる撮影記録ＥＶ値平面を前記表示部に表示させるステップをコンピュータに実行させることを特徴する請求項９に記載のデジタル写真分析プログラム。
【発明の詳細な説明】
【技術分野】
【０００１】
本発明は、デジタル写真の撮影条件に関する複数の撮影パラメータの相関関係を視覚的に明示することにより、直感的かつ客観的にデジタル写真の撮影条件及び芸術性の評価及び分析することができるデジタル写真分析装置及びデジタル写真分析プログラムに関する。
【背景技術】
【０００２】
近年、種々の撮影条件に関する値を撮影条件パラメータとして細かく設定できる一眼レフデジタルカメラなどが普及している。これにより、撮影者は、一眼レフデジタルカメラの撮影条件の値をマニュアル設定によって指定することにより、芸術的に表現されたデジタル写真、または被写体の特徴を強調したデジタル写真を撮影したいニーズが高まっている。しかしながら、撮影条件パラメータは、絞り値、シャッター速度、又はＩＳＯ感度など複数存在するため、撮影者は、これらの値がデジタル写真の出来にどのように作用するのかを容易かつ直感的に理解できないという問題があった。
【０００３】
また、撮影者は、撮影条件パラメータがデジタル写真に与える影響を学習するためには、デジタル写真と撮影条件パラメータとの相関関係を分析しなければならない。しかしながら、特に撮影者が初心者の場合、プロカメラマンが撮影した写真と共に記述されているシャッター速度、絞り値、ＩＳＯ感度、カメラ機種、レンズ種類、撮影日時、撮影場所などの数多くの撮影パラメータからこれらの相関関係を理解することは困難を極めるため、マニュアル設定による撮影技術を容易に向上させることができなかった。そのため撮影初心者は、撮影上級者やプロカメラマンの撮影技術を習得するためには、相当の経験を経なければならず、プロカメラマンによる指導を受け、又は撮影技術を指導する学校で撮影技術を学ばなければならなかった。
【０００４】
そこで、デジタルカメラに具備された表示画面にカーソル及び適正露出帯を表示させることにより、デジタルカメラにおける撮影条件パラメータを容易にマニュアル設定することができる技術が知られている（例えば、特許文献１参照）。
【０００５】
しかしながら、特許文献１に示される技術においては、撮影前にデジタルカメラに具備された表示画面において、露出値、絞り値、及びシャッター速度値の相関関係を同時に確認しつつ撮影するものであり、撮影結果であるデジタル写真の出来と、撮影された時点でのＥＶ値、絞り値、シャッター速度値、及びＩＳＯ感度を比較検討することはできなかった。特に、ＩＳＯ感度がデジタル写真に与える影響を分析又は検討することができなかった。さらに、複数のデジタル写真と、それらのデジタル写真の撮影条件パラメータを同時に比較し、デジタル写真の出来と撮影条件パラメータの相関関係を分析することはできなかった。
【先行技術文献】
【特許文献】
【０００６】
【特許文献１】特開２００６−１７８０１５号公報
【発明の概要】
【発明が解決しようとする課題】
【０００７】
本発明は、上記の問題を解決するためになされたものであり、撮影条件パラメータをスケールとする二次元マトリックス又は三次元マトリックスに、デジタル写真に対応するプロット又はサムネイルを表示させることにより、容易かつ直感的にデジタル写真と撮影条件パラメータの相関関係をユーザに理解させることができるデジタル写真分析装置及びデジタル写真分析プログラムを提供することを目的とする。
【課題を解決するための手段】
【０００８】
上記の目的を達成するために本発明は、デジタル写真を分析するデジタル写真分析装置において、デジタル写真は、デジタル写真が撮影されたときの絞り値と、シャッター速度と、ＩＳＯ感度を記憶する付属情報を保持し、デジタル写真分析装置は、ユーザによる命令が入力される入力部と、デジタル写真及び付属情報を記憶する記憶部と、シャッター速度又はＴＶ値のいずれか一方をスケールとするＸ軸と、Ｘ軸に直交し絞り値又はＡＶ値のいずれか一方をスケールとするＹ軸とで構成される二次元マトリックスと、デジタル写真を表示する表示部と、前記ＡＶ値、前記ＴＶ値、及び前記ＩＳＯ感度に基づいて撮影記録ＥＶ値を算出する制御部と、を備え、二次元マトリックスは、Ｘ軸及びＹ軸で構成される対角線方向に撮影記録ＥＶ値をスケールとするＵ軸をさらに備え、制御部は、入力部を介して、デジタル写真が選択されたことに応じて、ＡＶ値、ＴＶ値、ＩＳＯ感度を変数とする所定の式に基づいてデジタル写真の撮影記録ＥＶ値を算出し、
0005704476.tif 000002
シャッター速度又はＴＶ値のいずれか一方と、絞り値又はＡＶ値のいずれか一方とに基づいて、二次元マトリックス上にプロット又はデジタル写真のサムネイルを表示させる。
【００１０】
また、本発明は、上述の改良された発明において、制御部は、入力部を介して、二次元マトリックスに表示されたプロット又はサムネイルが選択されたことに応じて、プロット又はサムネイルに対応するデジタル写真についての撮影記録ＥＶ値を表示部に表示させる。
【００１１】
また、本発明は、上述の改良された発明において、制御部は、入力部を介して、二次元マトリックスに表示されたプロット又はサムネイルが選択されたことに応じて、プロット又はサムネイルの二次元マトリックスにおけるＵ軸上の撮影記録ＥＶ値と、プロット又はサムネイルに対応するデジタル写真について算出された撮影記録ＥＶ値とを比較し、Ｕ軸上の撮影記録ＥＶ値と、算出された撮影記録ＥＶ値とが異なる場合、表示部に、Ｕ軸上のスケールを算出された撮影記録ＥＶ値に変更して表示させる。
【００１２】
また、本発明は、上述の改良された発明において、制御部は、二次元マトリックスに替えて、Ｘ軸及びＹ軸に直交し、ＩＳＯ感度をスケールとするＺ軸をさらに備えた三次元マトリックスを表示部に表示させ、入力部を介して、デジタル写真が選択されたことに応じて、シャッター速度又はＴＶ値のいずれか一方と、絞り値又はＡＶ値のいずれか一方と、ＩＳＯ感度に基づいて、三次元マトリックス上にプロット又はサムネイルを表示させる。
【００１３】
また、本発明は、上述の改良された発明において、制御部は、入力部を介して、撮影記録ＥＶ値が入力されたことに応じて、三次元マトリックス内に撮影記録ＥＶ値が同一となる撮影記録ＥＶ値平面を表示部に表示させる。
【００１５】
また、本発明は、上述の改良された発明において、デジタル写真と、デジタル写真に保持され、かつデジタル写真が撮影されたときの絞り値と、シャッター速度と、ＩＳＯ感度を記憶する付属情報とを記憶する記憶部と、ユーザによる命令が入力される入力部と、デジタル写真を表示する表示部と、記憶部、表示部、及び入力部を制御する制御部と、を備えるコンピュータを用いて、デジタル写真の撮影記録ＥＶ値を算出するデジタル写真分析プログラムにおいて、制御部は、入力部を介して、デジタル写真が選択されたことに応じて、デジタル写真のＡＶ値、ＴＶ値、ＩＳＯ感度を変数とする所定の式に基づいてデジタル写真の撮影記録ＥＶ値を算出するステップと、
0005704476.tif 000003
表示部に、シャッター速度又はＴＶ値のいずれか一方をスケールとするＸ軸と、絞り値又はＡＶ値のいずれか一方をスケールとするＹ軸で構成され、互いに直交するＸ軸及びＹ軸で構成される対角線方向に撮影記録ＥＶ値をスケールとするＵ軸をさらに備える二次元マトリックスを表示させるステップと、デジタル写真のシャッター速度又はＴＶ値のいずれか一方と、絞り値又はＡＶ値のいずれか一方とに基づいて、二次元マトリックス上にプロット又はデジタル写真のサムネイルを表示させるステップと、をコンピュータに実行させる。
【００１７】
また、本発明は、上述の改良された発明において、制御部は、入力部を介して、二次元マトリックスに表示されたプロット又はサムネイルが選択されたことに応じて、プロット又はサムネイルに対応するデジタル写真についての撮影記録ＥＶ値を表示部に表示させるステップをコンピュータに実行させる。
【００１８】
また、本発明は、上述の改良された発明において、制御部は、入力部を介して、二次元マトリックスに表示されたプロット又はサムネイルが選択されたことに応じて、プロット又はサムネイルの二次元マトリックスにおけるＵ軸上の撮影記録ＥＶ値と、プロット又はサムネイルに対応するデジタル写真について算出された撮影記録ＥＶ値とを比較するステップと、Ｕ軸上の撮影記録ＥＶ値と、算出された撮影記録ＥＶ値とが異なる場合、表示部に、Ｕ軸上のスケールを算出された撮影記録ＥＶ値に変更して表示させるステップと、をコンピュータに実行させる。
【００１９】
また、本発明は、上述の改良された発明において、制御部は、二次元マトリックスに替えて、Ｘ軸及びＹ軸に直交し、ＩＳＯ感度をスケールとするＺ軸をさらに備えた三次元マトリックスを表示部に表示させるステップと、入力部を介して、デジタル写真が選択されたことに応じて、シャッター速度又はＴＶ値のいずれか一方と、絞り値又はＡＶ値のいずれか一方と、ＩＳＯ感度に基づいて、三次元マトリックス上にプロット又はサムネイルを表示させるステップと、をコンピュータに実行させる。
【００２０】
また、本発明は、上述の改良された発明において、制御部は、入力部を介して、撮影記録ＥＶ値が入力されたことに応じて、三次元マトリックス内に撮影記録ＥＶ値が同一となる撮影記録ＥＶ値平面を表示部に表示させるステップをコンピュータに実行させる。
【発明の効果】
【００２２】
本発明のデジタル写真分析装置は、撮影条件パラメータとして、シャッター速度又はＴＶ値のいずれか一方と、絞り値又はＡＶ値のいずれか一方と、撮影記録ＥＶ値とをスケールとする二次元マトリックスを表示する。また、デジタル写真分析装置のユーザは、二次元マトリックス上に表示されたデジタル写真のプロット又はサムネイルを参照することにより、デジタル写真の出来映えに影響を与える撮影条件パラメータを分析することができる。さらに、デジタル写真分析装置は、撮影条件パラメータとしてＩＳＯ感度に依存する撮影記録ＥＶ値を算出するため、ユーザは、二次元マトリックスを参照することにより、デジタル写真分析装置が算出する特有の値である撮影記録ＥＶ値を分析することが可能となる。
【図面の簡単な説明】
【００２３】
【図１】本発明の実施形態に係るデジタル写真分析装置の構成図。
【図２】本実施形態に係るデジタル写真と付属情報の関係の一例を示す図。
【図３】本実施形態に係る二次元マトリックスの一例を示す図。
【図４】本実施形態に係るサムネイルが選択された場合における二次元マトリックスの一例を示す。
【図５】本実施形態に係る二次元マトリックスの表示処理を示すフローチャート。
【図６】本実施形態に係る三次元マトリックスの一例を示す図。
【図７】本実施形態に係る撮影記録ＥＶ値平面の一例を示す図。
【図８】本実施形態に係る三次元マトリックスの表示処理を示すフローチャート。
【図９】本実施形態に係る枚数分布グラフの一例を示す図。
【発明を実施するための形態】
【００２４】
以下、本発明の実施形態に係るデジタル写真分析装置について、図面を参照して説明する。図１は、本実施形態に係る装置１（装置と略記）の構成を示す。装置１は、装置１を制御するＣＰＵ２（制御部）と、装置１を制御する制御プログラム３を記録する主記憶部４と、デジタル写真５と、デジタル写真５に関連づけられた付属情報６を記憶する記憶部７と、デジタル写真５を表示する表示部８と、装置１に対する命令が入力される入力部９と、デジタル写真５を記憶する外部記憶装置１０が接続される記憶装置接続部１１と、外部端末１２と無線１３を介して通信する外部通信部１４と、を備え、これらはバス１５に接続されている。
【００２５】
ここで、デジタル写真５とは、デジタルカメラ、デジタル一眼レフカメラ、又はカメラ付きスマートフォンなどで撮影されたデジタル形式の写真である。また、付属情報６とは、例えば、デジタル写真５に付属するＥｘｉｆ（Ｅｘｃｈａｎｇｅａｂｌｅ  ｉｍａｇｅ  ｆｉｌｅ  ｆｏｒｍａｔ  ｆｏｒ  ｄｉｇｉｔａｌ  ｓｔｉｌｌ  ｃａｍｅｒａｓ）ファイルである。付属情報６は、少なくとも、シャッター速度６１、絞り値６２、ＩＳＯ感度６３、及びサムネイル６４を保持する。
【００２６】
シャッター速度６１、絞り値６２、及びＩＳＯ感度６３は、デジタル写真５を撮影したときにデジタルカメラ又はデジタル一眼レフカメラで設定された値である。シャッター速度６１は、露出時間と同義である。サムネイル６４は、デジタル写真５のサムネイル画像である。入力部９は、キーボード、マウス、又はタッチパネルなどである。記憶装置接続部１１は、ＵＳＢコネクタやＬＡＮケーブルコネクタである。外部端末１２は、サーバ、パーソナルコンピュータ、スマートフォン、タブレット端末、通信機能を具備するデジタルカメラなどである。外部通信部１４は、無線１３に替えて、有線で外部端末１２と通信する構成であってもよい。
【００２７】
図２は、デジタル写真５と付属情報６の関係の一例を示す。図２は、デジタル写真５としてデジタル写真５ａ乃至５ｃの３枚を示し、デジタル写真５ａ乃至５ｃの付属情報６として付属情報６ａ乃至６ｃを示す。付属情報６ａ乃至６ｃは、シャッター速度６１ａ乃至６１ｃ、絞り値６２ａ乃至６２ｃ、ＩＳＯ感度６３ａ乃至６３ｃ、及びサムネイル６４ａ乃至６４ｃをそれぞれ保持する。デジタル写真５ａ乃至５ｃは、シャッター速度６１ａ乃至６１ｃ、絞り値６２ａ乃至６２ｃ、及びＩＳＯ感度６３ａ乃至６３ｃの値がそれぞれ異なる。これらの値が異なることにより、デジタル写真５ａ乃至５ｃはその出来映えが変化するため、鑑賞者に対して異なる印象を与えることが可能となる。撮影者は、デジタルカメラをマニュアル設定にし、撮影時にシャッター速度６１ａ乃至６１ｃ、絞り値６２ａ乃至６２ｃ、及びＩＳＯ感度６３ａ乃至６３ｃを設定することにより、デジタル写真５ａ乃至５ｃの表現を変化させることが可能となる。
【００２８】
図３は、二次元マトリックス１６の一例を示す。二次元マトリックス１６は、ユーザによって入力部９を介してデジタル写真５が選択され、かつ、二次元マトリックス１６を表示する命令が入力されたことに応じて、表示部８に表示される。二次元マトリックス１６は、直交するＸ軸及びＹ軸で構成され、さらにＸ軸及びＹ軸によって構成される対角線方向にＵ軸が構成される。二次元マトリックス１６の下側には、Ｘ軸のスケールとして、ＴＶ値１７及びシャッター速度６１が並列して表示される。また、二次元マトリックス１６の左側には、Ｙ軸のスケールとして、ＡＶ値１８及び絞り値６２が並列して表示される。また、二次元マトリックス１６の上側及び右側には、Ｕ軸のスケールとして撮影記録ＥＶ値１９が表示される。さらに、二次元マトリックス１６の上方には、撮影記録ＥＶ値１９の算出根拠が感度補正値２０とともに表示される。
【００２９】
ＴＶ値１７は、ＣＰＵ２によってシャッター速度６１及び式１に基づいて算出され、二次元マトリックス１６において、ＴＶ値１７である−６乃至１３は、シャッター速度６１である６０乃至１／８０００にそれぞれ対応している。
【数１】
0005704476.tif 000004
【００３０】
ＡＶ値１８は、ＣＰＵ２によって絞り値６２及び式２に基づいて算出され、二次元マトリックス１６において、ＡＶ値１８である１２乃至０は、絞り値６２であるＦ６４乃至Ｆ１にそれぞれ対応している。
【数２】
0005704476.tif 000005
なお、本実施形態において、ＴＶ値１７及びＡＶ値１８は、式１及び式２に基づいてＣＰＵ２によって算出される構成であるが、ＴＶ値１７及びＡＶ値１８は、例えば、デジタルカメラ等の外部端末１２によって算出されてもよい。この場合、デジタル写真５の付属情報６は、所定のタグ名及び値に外部端末１２によって算出されたＴＶ値１７及びＡＶ値１８を保持する。
【００３１】
撮影記録ＥＶ値１９は、ＣＰＵ２によってデジタル写真５のＴＶ値１７、ＡＶ値１８、ＩＳＯ感度６３、及び式３に基づいて算出される。
【数３】
0005704476.tif 000006
また、本実施形態において、感度補正値２０は、式４で定義される。
【数４】
0005704476.tif 000007
図３において、二次元マトリックス１６はＩＳＯ感度６３が１００の場合における撮影記録ＥＶ値１９を表示している。
【００３２】
式３及び式４は、装置１において使用される本願発明特有の所定の式であり、撮影記録ＥＶ値１９は従来から一般的に使用されているＥＶ値とは異なる。ここで、従来のＥＶ値について説明する。従来のＥＶ値は、通常、アペックスシステム（ＡＰＥＸ  ｓｙｓｔｅｍ）と呼ばれる計算式（ＥＶ＝ＡＶ＋ＴＶ）が用いられる。アペックスとは、Ａｄｄｉｔｉｖｅ  ｓｙｓｔｅｍ  ｏｆ  Ｐｈｏｔｏｇｒａｐｈｉｃ  ＥＸｐｏｓｕｒｅの略であり、Ａｍｅｒｉｃａｎ  Ｎａｔｉｏｎａｌ  Ｓｔａｎｄａｒｄｓ  Ｉｎｓｔｉｔｕｔｅ（ＡＳＡ）によって定められたものである。
【００３３】
アペックスシステムは、ＩＳＯ感度が１００の場合の計算式であり、ＩＳＯ感度が１００で絞り値がＦ１、シャッター速度が１秒の場合、ＥＶ値が０となることを基準としている。しかし、ＩＳＯ感度が変化した場合、ＥＶ値を知るためには、ＩＳＯ感度が２００、ＩＳＯ感度が４００など１段増感される倍数毎にＥＶ値を−１加算してＥＶ値を補正する必要がある。ＩＳＯ感度が５０の場合、ＥＶ値は＋１加算される。
【００３４】
アペックスでは、本実施形態における感度補正値２０を勘案した計算式は定められていない。アペックスは、写真がフィルムによって撮影される時代に策定されたため、フィルムのＩＳＯ感度は、ＩＳＯ感度が１００を含めて、ＩＳＯ感度が５０、ＩＳＯ感度が４００、ＩＳＯ感度が８００程度の種類しか存在しなかった。しかし、今日ではフィルムではなく、デジタルカメラに内蔵されたコンピュータのゲイン調整で増感現像及び減感現像を行うため、ＩＳＯ感度を自動設定にしておくと１枚１枚全く異なり、さらに１桁台又は少数点以下まで可変する無限のＩＳＯ感度を持つデジタル写真を創出することができる。
【００３５】
このような状況から、デジタルカメラにおけるＥＶ値を知るためには、整数ではなく、少数点以下の詳細な感度補正を行うことが必須となる。そこで、装置１は、従来のＥＶ値ではなく、他の機器において用いられておらず、装置１に特有の撮影記録ＥＶ値１９及び感度補正値２０を算出する構成となっている。装置１は、多様なＩＳＯ感度６３を反映できる式３を用いることにより、装置１が独自に採用する撮影記録ＥＶ値１９を算出する。
【００３６】
図３において、二次元マトリックス１６は、デジタル写真５ａ乃至５ｃのサムネイル６４ａ乃至ｓ６４ｃを表示している。二次元マトリックス１６は、入力部９を介してデジタル写真５ａ乃至５ｃが選択されたことに応じて、サムネイル６４ａ乃至ｓ６４ｃを表示する。ＣＰＵ２は、デジタル写真５ａが選択されると、デジタル写真５ａの付属情報６ａを参照し、シャッター速度６１ａ及び絞り値６２ａを取得する。次に、ＣＰＵ２は、シャッター速度６１ａ及び絞り値６２ａに基づいて、二次元マトリックス１６上にＸ軸及びＹ軸の交点となる座標を特定し、特定した座標上にサムネイル６４ａを表示する。
【００３７】
これにより、ユーザは、一枚又は複数のデジタル写真５を選択することにより、サムネイル６４を二次元マトリックス１６上に表示させることができる。ユーザは、サムネイル６４が表示された位置から、デジタル写真５のＴＶ値１７、シャッター速度６１、ＡＶ値１８、及び絞り値６２の具体的な値とともに、これらの値の相関関係を知ることができる。また、ユーザは、これらの値とサムネイル６４を参照することにより、ＴＶ値１７、シャッター速度６１、ＡＶ値１８、及び絞り値６２がデジタル写真５の出来映えに与える影響を検証及び分析することが可能となる。
【００３８】
さらに、ユーザは、二次元マトリックス１６が、ＩＳＯ感度６３が１００であるときの撮影記録ＥＶ値を表示しているため、デジタル写真５のＩＳＯ感度６３が１００である場合は、Ｕ軸のスケールである撮影記録ＥＶ値１９を参照することにより、デジタル写真５の出来映えに与える影響を与える撮影記録ＥＶ値１９についても検証及び分析することが可能となる。
【００３９】
デジタル写真５は、ユーザによって露出補正の設定が行われる場合がある。例えば、撮影方法としてＡＥＢ（Ａｕｔｏ  Ｅｘｐｏｓｕｒｅ  Ｂｒａｃｋｅｔｉｎｇ）と呼ばれ、自動的に露出値を変えて複数枚撮影する機能がある。通常、露出値を３連続で変化させて撮影する。ユーザは、異なる露出値で撮影した３枚のデジタル写真５のサムネイル６４を二次元マトリックス１６に表示させることにより、自己の好みに合ったデジタル写真５を決定することができる。
【００４０】
また、デジタル写真５は、露出補正をＡＶ値１８が一定（絞り優先ＡＥ）、又はＴＶ値１７が一定（シャッター速度優先ＡＥ）の設定で撮影される場合がある。この場合、二次元マトリックス１６は、露出補正がなされる前と後に撮影されたデジタル写真５のサムネイル６４を表示することにより、ユーザは露出補正の効果を確かめることができる。二次元マトリックス１６は、露出補正前に撮影されたデジタル写真５のサムネイル６４から、露出補正後に撮影されたデジタル写真５のサムネイル６４に対して矢印を表示することにより、ユーザに対して露出補正の効果を視覚的にわかりやすく示すことが可能となる。
【００４１】
図４は、サムネイル６４が選択された場合における二次元マトリックス１６の一例を示す。図４において、表示部８は、二次元マトリックス１６上にサムネイル６４ａ乃至６４ｃを表示しており、入力部９を介してサムネイル６４ｂが選択されている。ＣＰＵ２は、サムネイル６４ｂが選択されたことに応じて、付属情報６ｂを参照することにより、サムネイル６４ｂに対応するデジタル写真５ｂについてＴＶ値１７、ＡＶ値１８、及び撮影記録ＥＶ値１９を算出する。
【００４２】
表示部８は、ＣＰＵ２によって算出されたＴＶ値１７、ＡＶ値１８、撮影記録ＥＶ値１９、及び感度補正値２０を表示窓２１に表示する。ユーザは、表示窓２１を参照することにより選択したサムネイル６４ｂに対応するデジタル写真５ｂについてのＴＶ値１７、ＡＶ値１８、及び撮影記録ＥＶ値１９を容易に知ることができる。
【００４３】
さらに、ＣＰＵ２は、付属情報６ｂに保持されるＩＳＯ感度６３ｂを参照することにより、ＩＳＯ感度６３ｂが４００であることを認識する。ＣＰＵ２は、式３及び４に基づいて、ＩＳＯ感度６３ｂが４００の場合における撮影記録ＥＶ値１９を算出する。表示部８は、二次元マトリックス１６におけるＵ軸のスケールである撮影記録ＥＶ値１９が、ＣＰＵ２によって算出された撮影記録ＥＶ値１９となるように撮影記録ＥＶ値１９のスケールを変更して表示する。ＩＳＯ感度６３ｂが４００の場合、感度補正値２０は「−２」となる。従って、表示窓２１には、ＴＶ値：５、ＡＶ値：３、撮影記録ＥＶ値：６、感度補正値：−２が表示される。
【００４４】
このように、ＣＰＵ２は、ＩＳＯ感度６３が異なるデジタル写真５のサムネイル６４が二次元マトリックス１６に複数表示されている場合であっても、ユーザによってサムネイル６４が一枚選択されたことに応じて、Ｕ軸のスケールを選択されたサムネイル６４に適した撮影記録ＥＶ値１９に変更する。これにより、ユーザは、サムネイル６４を選択することにより、選択したサムネイル６４についての正確な撮影記録ＥＶ値１９を知ることができる。また、ユーザは、サムネイル６４を選択することにより、Ｕ軸のスケールがサムネイル６４に適した撮影記録ＥＶ値１９に変更されて表示されるため、撮影記録ＥＶ値１９に対するサムネイル６４の位置を把握することができる。
【００４５】
図５は、本実施形態に係る二次元マトリックス１６の表示処理のフローを示す。ＣＰＵ２は、入力部９を介して二次元マトリックス１６を表示させる命令が入力されたことに応じて、表示部８に二次元マトリックス１６を表示させる（Ｓ１０１）。このとき、二次元マトリックス１６は、Ｕ軸のスケールとして、ＩＳＯ感度６３が１００の場合についての撮影記録ＥＶ値１９を表示するものとする。
【００４６】
ＣＰＵ２は、入力部９を介してデジタル写真５が選択されたことに応じて（Ｓ１０２）、選択されたデジタル写真５の付属情報６を参照することにより、シャッター速度６１、絞り値６２、及びＩＳＯ感度６３を取得する（Ｓ１０３）。ステップＳ１０２において、デジタル写真５は、ファイル名が指定されること、デジタル写真５のアイコンがクリックされる、又はデジタル写真５のアイコンが二次元マトリックス１６上にドラッグされることによって選択される。
【００４７】
デジタル画像５は、複数のデジタル画像５を保持するフォルダが入力部５を介して特定されることによって選択されてもよい。また、装置１は、デジタル写真５やデジタル写真５を保持するフォルダが装置１に接続された外部記憶装置１０に格納されたことに応じて、デジタル写真５を選択する構成であっても構わない。さらに、装置１は、外部通信部１４を介して、デジタル写真５又はデジタル写真５を保持するフォルダを受信したことに応じて、デジタル写真５を選択する構成であっても構わない。
【００４８】
ＣＰＵ２は、ステップＳ１０３において取得したシャッター速度６１、絞り値６２、及びＩＳＯ感度６３と、式１乃至４に基づいて、デジタル写真５についてＴＶ値１７、ＡＶ値１８、撮影記録ＥＶ値１９、及び感度補正値２０を算出する（Ｓ１０４）。ＣＰＵ２は、算出したＴＶ値１７及びＡＶ値１８に基づいて、二次元マトリックス１６上に、選択されたデジタル写真５のサムネイル６４を表示部８に表示させる（Ｓ１０５）。ＣＰＵ２は、他に選択されたデジタル写真５が存在するか否かを判断する（Ｓ１０６）。
【００４９】
ステップＳ１０６において、他に選択されたデジタル写真５が存在するとき（Ｓ１０６でＹｅｓ）、ＣＰＵ２は、ステップＳ１０３乃至Ｓ１０６の処理を実行する。一方、ステップＳ１０６において、他に選択されたデジタル写真５が存在しないとき（Ｓ１０６でＮｏ）、ＣＰＵ２は、ステップＳ１０７の処理を実行する。ＣＰＵ２は、入力部９を介して二次元マトリックス１６上に表示されたサムネイル６４の一枚が選択された否かを判断する（Ｓ１０７）。
【００５０】
ステップＳ１０７において、サムネイル６４が選択されない場合（Ｓ１０７でＮｏ）、ＣＰＵ２は、二次元マトリックス１６の表示処理を終了する。一方、ステップＳ１０７において、サムネイル６４が一枚選択されたことに応じて（Ｓ１０７でＹｅｓ）、ＣＰＵ２は、選択されたサムネイル６４に対応する付属情報６に保持されているＩＳＯ感度６３が１００であるか否かを判定する（Ｓ１０８）。ＣＰＵ２は、ＩＳＯ感度６３が１００の場合、ステップＳ１１０の処理を実行する。
【００５１】
一方、ステップＳ１０８において、ＩＳＯ感度６３が１００でない場合（Ｓ１０８でＮｏ）、ＣＰＵ２は、選択されたサムネイル６４に対応するデジタル写真５についての撮影記録ＥＶ値１９となるように、表示部８に二次元マトリックス１６の撮影記録ＥＶ値１９のスケールを変更させて表示させる（Ｓ１０９）。これにより、ユーザは、二次元マトリックス１６上にＩＳＯ感度６３の値が異なるサムネイル６４が複数表示されている場合であっても、サムネイル６４を一枚選択することにより、二次元マトリックス１６上の撮影記録ＥＶ値１９のスケールを選択したサムネイル６４のＩＳＯ感度６３に応じた撮影記録ＥＶ値１９に変更させることができる。
【００５２】
ＣＰＵ２は、選択されたサムネイル６４に対応するデジタル写真５についてのＴＶ値１７、ＡＶ値１８、撮影記録ＥＶ値１９、及び感度補正値２０を表示窓２１内に表示させて（Ｓ１１０）、二次元マトリックス１６の表示処理を終了する。ユーザは、表示窓２１を確認することにより、選択したサムネイル６４に対応するデジタル写真５のＴＶ値１７、ＡＶ値１８、撮影記録ＥＶ値１９、及び感度補正値２０を知ることができる。
【００５３】
図６は、三次元マトリックス２２の一例を示す。三次元マトリックス２２は、ユーザによって入力部９を介してデジタル写真５が選択され、かつ、三次元マトリックス２２を表示する命令が入力されたことに応じて、表示部８に表示される。三次元マトリックス２２は、複数の二次元マトリックス１６を備え、二次元マトリックス１６のＸ軸及びＹ軸に直交するＺ軸を備える。三次元マトリックス２２は、Ｚ軸のスケールとしてＩＳＯ感度６３を表示する。ここで、三次元マトリックス２２は、ＩＳＯ感度６３として、１００、４００、１６００、及び６４００を表示する。複数の二次元マトリックス１６は、ＩＳＯ感度６３の値に応じた撮影記録ＥＶ値１９をスケールとして表示する。
【００５４】
三次元マトリックス２２は、ユーザによって選択されたデジタル写真５ａ乃至５ｃに対応するサムネイル６４ａ乃至６４ｃを表示する。サムネイル６４ａ乃至６４ｃは、デジタル写真５ａ乃至５ｃのシャッター速度６１ａ乃至６１ｃ、絞り値６２ａ乃至６２ｃ、及びＩＳＯ感度６３ａ乃至６３ｃか、デジタル写真５ａ乃至５ｃのＴＶ値１７、ＡＶ値１８及びＩＳＯ感度６３ａ乃至６３ｃに基づいて、三次元マトリックス２２上に表示される。ユーザは、三次元マトリックス２２上に表示されたサムネイル６４と、その位置を確認することにより、サムネイル６４に対応するデジタル写真５の出来映えと、ＴＶ値１７、シャッター速度６１、ＡＶ値１８、絞り値６２、撮影記録ＥＶ値１９、ＩＳＯ感度６３、及び感度補正値２０を同時に知ることができる。
【００５５】
また、ユーザは、複数のサムネイル６４を確認することにより、複数のデジタル写真５のデジタル写真５のＴＶ値１７、シャッター速度６１、ＡＶ値１８、絞り値６２、撮影記録ＥＶ値１９、ＩＳＯ感度６３、及び感度補正値２０を比較し、それぞれのデジタル写真５の仕上がりを分析することができる。サムネイル６４ｂは、ユーザによって選択されている。ＣＰＵ２は、サムネイル６４ｂが選択されたことにより、デジタル写真５ｂのＴＶ値１７、ＡＶ値１８、撮影記録ＥＶ値１９、及び感度補正値２０を算出し、表示窓２１に表示させる。これにより、ユーザは、三次元マトリックス２２に表示されたサムネイル６４を一枚選択することにより、選択したサムネイル６４に対応するデジタル写真５のＴＶ値１７、ＡＶ値１８、撮影記録ＥＶ値１９、及び感度補正値２０を容易に知ることができる。
【００５６】
図７は、撮影記録ＥＶ値平面２３の一例を示す。撮影記録ＥＶ値平面２３は、表示部８が三次元マトリックス２２を表示しているときに、入力部９を介して撮影記録ＥＶ値平面２３を表示させる命令が入力されたことに応じて三次元マトリックス２２上に表示される。撮影記録ＥＶ値平面２３は、撮影記録ＥＶ値１９が同一の値となる平面を示す。図７において、撮影記録ＥＶ値平面２３は、三次元マトリックス２２上であって、撮影記録ＥＶ値１９が０となる平面を示している。三次元マトリックス２２は、撮影記録ＥＶ値平面２３の端部と複数の二次元マトリックス１６の端部との交点にプロットＰを表示する。
【００５７】
ユーザは、入力部９を介して、任意の撮影記録ＥＶ値１９を入力することにより、撮影記録ＥＶ値１９が同一となる撮影記録ＥＶ値平面２３を三次元マトリックス２２上に表示させることができる。また、ユーザは、撮影記録ＥＶ値平面２３を表示させることにより、三次元マトリックス２２におけるサムネイル６４と任意の撮影記録ＥＶ値１９の関係や、複数のサムネイル６４の三次元的な位置関係をより正確に把握することができる。
【００５８】
図８は、本実施形態に係る三次元マトリックス２２の表示処理のフローを示す。ＣＰＵ２は、入力部９を介して三次元マトリックス２２を表示する命令が入力されたことに応じて、表示部８に三次元マトリックス２２を表示させる（Ｓ２０１）。ＣＰＵ２は、入力部９を介してデジタル写真５が選択されたことに応じて（Ｓ２０２）、選択されたデジタル写真５の付属情報６を参照することにより、シャッター速度６１、絞り値６２、及びＩＳＯ感度６３を取得する（Ｓ２０３）。
【００５９】
ＣＰＵ２は、取得したシャッター速度６１、絞り値６２、及びＩＳＯ感度６３と、式１乃至４に基づいて、デジタル写真５についてＴＶ値１７、ＡＶ値１８、撮影記録ＥＶ値１９、及び感度補正値２０を算出する（Ｓ２０４）。ＣＰＵ２は、ＩＳＯ感度６３と、算出したＴＶ値１７及びＡＶ値１８に基づいて、三次元マトリックス２２上に、選択されたデジタル写真５のサムネイル６４を表示部８に表示させる（Ｓ２０５）。ＣＰＵ２は、他に選択されたデジタル写真５が存在するか否かを判断する（Ｓ２０６）。
【００６０】
ステップＳ２０６において、他に選択されたデジタル写真５が存在するとき（Ｓ２０６でＹｅｓ）、ＣＰＵ２は、ステップＳ２０３乃至Ｓ２０６の処理を実行する。一方、ステップＳ２０６において、他に選択されたデジタル写真５が存在しないとき（Ｓ２０６でＮｏ）、ＣＰＵ２は、ステップＳ２０７の処理を実行する。ＣＰＵ２は、入力部９を介して三次元マトリックス２２上に表示されたサムネイル６４の一枚が選択された否かを判断する（Ｓ２０７）。
【００６１】
ステップＳ２０７において、サムネイル６４が選択されない場合（Ｓ２０７でＮｏ）、ＣＰＵ２は、ステップＳ２０９の処理を実行する。一方、ステップＳ２０７において、サムネイル６４が一枚選択されたことに応じて（Ｓ２０７でＹｅｓ）、ＣＰＵ２は、選択されたサムネイル６４に対応するデジタル写真５のＴＶ値１７、ＡＶ値１８、撮影記録ＥＶ値１９及び感度補正値２０を表示窓２１内に表示させる（Ｓ２０８）。
【００６２】
ＣＰＵ２は、入力部９を介して、撮影記録ＥＶ値平面２３を表示させる命令が入力されたか否かを判定する（Ｓ２０９）。ステップＳ２０９において、撮影記録ＥＶ値平面２３を表示させる命令が入力されない場合（Ｓ２０９でＮｏ）、ＣＰＵ２は、三次元マトリックス２２の表示処理のフローを終了する。一方、ステップＳ２０９において、撮影記録ＥＶ値平面２３を表示させる命令が入力された場合（Ｓ２０９でＹｅｓ）、ＣＰＵ２は、さらに入力部９を介して入力された撮影記録ＥＶ値１９を取得し、この撮影記録ＥＶ値１９が同一となる平面を、撮影記録ＥＶ値平面２３として三次元マトリックス２２に表示させて（Ｓ２１０）、三次元マトリックス２２の表示処理のフローを終了する。
【００６３】
ユーザは、三次元マトリックス２２に複数のサムネイル６４を表示させることにより、それぞれのサムネイル６４に対応するデジタル写真５についてのＴＶ値１７、ＡＶ値１８、撮影記録ＥＶ値１９、ＩＳＯ感度６３、及び感度補正値２０の関係を容易に知ることができる。また、ユーザは、三次元マトリックス２２に撮影記録ＥＶ値平面２３を表示させることにより、三次元マトリックス２２における複数のサムネイル６４と撮影記録ＥＶ値１９との位置関係をより正確に把握し、分析することが可能となる。
【００６４】
図９は、デジタル写真５の枚数分布を示す枚数分布グラフ２４の一例を示す。枚数分布グラフ２４は、底面に直交するＸ軸及びＹ軸を備え、Ｘ軸のスケールとして、ＴＶ値１７及びシャッター速度６１が並列して表示されＹ軸のスケールとして、ＡＶ値１８及び絞り値６２が並列して表示される。また、枚数分布グラフ２４は、Ｘ軸及びＹ軸に直行するＺ軸を備え、Ｚ軸のスケールとしてデジタル写真５の枚数２５を表示する。
【００６５】
ＣＰＵ２は、ユーザによって複数のデジタル写真５が選択されたことに応じて、それぞれのデジタル写真５のＴＶ値１７及ＡＶ値１８を算出する。また、ＣＰＵ２は、ＴＶ値１７及びＡＶ値１８毎に、デジタル写真５の枚数２５を集計し、ＴＶ値１７、ＡＶ値１８、及びデジタル写真５の枚数２５に応じた棒グラフ２６を枚数分布グラフ２４に表示する。これにより、ユーザは、枚数分布グラフ２４を参照することにより、複数のデジタル写真５の特性や傾向を容易に知ることが可能となる。
【００６６】
なお、本発明に係る装置１は、本実施形態の構成に限られず、種々の変形が可能であり装置１は、二次元マトリックス１６及び三次元マトリックス２２上に、サムネイル６４に替えて、プロットＰを表示させる構成であっても構わない。また、装置１は、表示窓２１に表示させるＴＶ値１７、ＡＶ値１８、撮影記録ＥＶ値１９、感度補正値２０を、例えば、（５、３、６、−２）のように座標で表示させる構成であっても構わない。
【符号の説明】
【００６７】
１  デジタル写真分析装置
２  ＣＰＵ（制御部）
５  デジタル写真
６  付属情報
７  記憶部
８  表示部
９  入力部
１６  二次元マトリックス
１７  ＴＶ値
１８  ＡＶ値
１９  撮影記録ＥＶ値
２０  感度補正値
２２  三次元マトリックス
２３  撮影記録ＥＶ値平面
２４  枚数分布グラフ
６１  シャッター速度
６２  絞り値
６３  ＩＳＯ感度
６４  サムネイル
Ｐ    プロット
【要約】      （修正有）【課題】デジタル写真のシャッター速度、ＴＶ値、絞り値、ＡＶ値、ＩＳＯ感度、又は撮影記録ＥＶ値に基づいて、それぞれの値とデジタル写真の出来映えとの関係を提示するデジタル写真分析装置及びプログラムを提供する。【解決手段】デジタル写真分析装置は、シャッター速度、ＴＶ値、絞り値、ＡＶ値、又は撮影記録ＥＶ値をスケールとする二次元マトリックスと、さらにＩＳＯ感度をスケールとする三次元マトリックス２２を表示する。二次元マトリックス及び三次元マトリックスは、デジタル写真のプロット又はサムネイル６４を表示する。ユーザは、プロット又はサムネイルが表示された二次元マトリックス又は三次元マトリックスを参照することにより、デジタル写真と各種の値の関係を認識することができるとともに、デジタル写真の出来映えに影響を与える各種の値を分析することができる。【選択図】図６【図１】
0005704476.tif 000010
【図５】
0005704476.tif 000011
【図８】
0005704476.tif 000012
【図２】
0005704476.tif 000013
【図３】
0005704476.tif 000014
【図４】
0005704476.tif 000015
【図６】
0005704476.tif 000016
【図７】
0005704476.tif 000017
【図９】
0005704476.tif 000018